(57)【要約】      （修正有）【課題】良好な防振機能を有し、諸収差を良好に補正した、小型かつ軽量な、高い光学性能を有する結像光学系を提供する。【解決手段】物体側から順に、正の屈折力を持つ第１レンズ群Ｌ１と、負の屈折力を持つ第２レンズ群Ｌ２と、正の屈折力を持つ第３レンズ群Ｌ３とからなり、第１レンズ群は、第１１レンズ群Ｌ１１と第１２レンズ群Ｌ１２とを有し、第１１レンズ群は、物体側に凸面を向けた正レンズと、物体側に凸面を向けた正レンズと、両凹レンズから構成され、第１２レンズ群は、物体側に凸面を向けた凹レンズと物体側に凸面を向けた正レンズとの接合レンズであり、第２レンズ群はフォーカシング時に光軸方向に移動し、第３レンズ群は、正の屈折力を持つ第３１レンズ群Ｌ３１と、負の屈折力を持つ第３２レンズ群Ｌ３２と、正の屈折力を持つ第３３レンズ群Ｌ３３とを有し、第３２レンズ群は防振時に光軸と垂直な方向に移動し、所定の条件式を満足する。【選択図】図１
2014038255.tif 000002
【特許請求の範囲】
【請求項１】
物体側から像面側へ順に、正の屈折力を持つ第１レンズ群Ｌ１と、負の屈折力を持つ第２レンズ群Ｌ２と、正の屈折力を持つ第３レンズ群Ｌ３とからなり、
前記第１レンズ群Ｌ１は、第１１レンズ群Ｌ１１と第１２レンズ群Ｌ１２とを有し、
前記第１１レンズ群Ｌ１１は、物体側に凸面を向けた正レンズと、物体側に凸面を向けた正レンズと、両凹レンズから構成され、
前記第１２レンズ群Ｌ１２は、物体側に凸面を向けた凹レンズと物体側に凸面を向けた正レンズとの接合レンズであり、
前記第２レンズ群Ｌ２はフォーカシング時に光軸方向に移動し、
前記第３レンズ群Ｌ３は、正の屈折力を持つ第３１レンズ群Ｌ３１と、負の屈折力を持つ第３２レンズ群Ｌ３２と、正の屈折力を持つ第３３レンズ群Ｌ３３とを有し、前記第３２レンズ群Ｌ３２は防振時に光軸と垂直な方向に移動し、以下に示す条件式（１）乃至（６）を満足することを特徴とする結像光学系。
（１）    ０．４５＜ｆ１／ｆ＜０．６０
（２）    ０．３５＜｜ｆ２｜／ｆ＜０．６５
（３）    ０．６０＜ｆ３／ｆ＜３．００
（４）    ０．５０＜ｆ３１／ｆ＜１．５０
（５）    ０．１５＜｜ｆ３２｜／ｆ＜０．２０
（６）    ０．１５＜ｆ３３／ｆ＜０．３０
ｆｉ：第ｉレンズ群の焦点距離
ｆ：結像光学系全体の焦点距離
【請求項２】
請求項１に記載の結像光学系であって、さらに以下に示す条件式（７）乃至（９）を満足することを特徴とする結像光学系。
（７）    −０．９０＜ＳＦ１＜−０．６４
（８）    −１．８０＜ＳＦ２＜−０．５３
（９）    −０．１０＜ＳＦ３＜０．８０
ＳＦ１：第１１レンズ群Ｌ１１の最も物体側のレンズである第１レンズＧ１の形状因子
ＳＦ２：第１１レンズ群Ｌ１１の物体側から２番目のレンズである第２レンズＧ２の形状因子
ＳＦ３：第１１レンズ群Ｌ１１の物体側から３番目のレンズである第３レンズＧ３の形状因子
ＳＦｎ：物体側からｎ番目のレンズの物体側の曲率半径をＲ１ｎ、像面側の曲率半径をＲ２ｎとしたとき
ＳＦｎ＝（Ｒ１ｎ＋Ｒ２ｎ）／（Ｒ１ｎ−Ｒ２ｎ）
であらわされる形状因子
【請求項３】
請求項１または２に記載の結像光学系であって、さらに以下に示す条件式（１０）及び（１１）を満足することを特徴とする結像光学系。
（１０）    ３．１０＜ＳＦ４＜４．５０
（１１）    −１．８０＜ＳＦ５＜−１．３５
ＳＦ４：第１２レンズ群Ｌ１２の最も物体側のレンズである第４レンズＧ４の形状因子
ＳＦ５：第１２レンズ群Ｌ１２の物体側から２番目のレンズである第５レンズＧ５の形状因子
【発明の詳細な説明】
【技術分野】
【０００１】
本発明は、スチルカメラ、ビデオカメラ等の撮像装置に用いる撮影レンズに好適な結像光学系に関し、特にレンズの望遠比を小さく保ちながら、製造敏感度が弱く、また、光学系の振動を補正して撮影画像に生じるブレを抑制する機能、所謂防振機能を有しながら、高い光学性能を両立した結像光学系に関する。
【背景技術】
【０００２】
従来、長焦点距離の結像光学系として、物体側から像面側へ順に、正の屈折力の第１レンズ群Ｌ１と、負の屈折率の第２レンズ群Ｌ２、正の屈折率の第３レンズ群Ｌ３を有する望遠タイプの結像光学系が知られている。
【先行技術文献】
【特許文献】
【０００３】
【特許文献１】特開平６−２０１９８８号公報
【特許文献２】特許第３４８６５４１号公報
【特許文献３】特許第３７４５１０４号公報
【発明の概要】
【発明が解決しようとする課題】
【０００４】
特許文献１で開示されている結像光学系は、防振機能を有しながら諸収差が良好に補正されている。しかしながら、重量が大きく外径も大きい正の屈折力の第３群で防振を行っているため、防振機構が大型化し、製品外径を小さくすることができない。
【０００５】
また、特許文献２及び３で開示されている結像光学系は、防振機能を有しながら諸収差を良好に補正し、さらに第３群を３つに分割することで防振時に光軸方向と垂直な方向に動く一部レンズ群（以下、防振群）の小型化を図っている。しかしながら、防振時の偏心によるコマ収差および非点収差の変動が発生するなど、望遠比が大きいにも関わらず防振時の性能が低下している。
【０００６】
本発明はこのような状況に鑑みてなされたものであり、レンズの望遠比を小さく保ちながら、製造敏感度が弱く、良好な防振機能を有し、諸収差を良好に補正した、小型かつ軽量な、高い光学性能を有する結像光学系を提供する事を目的としている。
【課題を解決するための手段】
【０００７】
先述した課題を解決するための手段である第１の発明は、物体側から像面側へ順に、正の屈折力を持つ第１レンズ群Ｌ１と、負の屈折力を持つ第２レンズ群Ｌ２と、正の屈折力を持つ第３レンズ群Ｌ３とからなり、前記第１レンズ群Ｌ１は、第１１レンズ群Ｌ１１と第１２レンズ群Ｌ１２とを有し、前記第１１レンズ群Ｌ１１は、物体側に凸面を向けた正レンズと、物体側に凸面を向けた正レンズと、両凹レンズから構成され、前記第１２レンズ群Ｌ１２は、物体側に凸面を向けた凹レンズと物体側に凸面を向けた正レンズとの接合レンズであり、前記第２レンズ群Ｌ２はフォーカシング時に光軸方向に移動し、前記第３レンズ群Ｌ３は、正の屈折力を持つ第３１レンズ群Ｌ３１と、負の屈折力を持つ第３２レンズ群Ｌ３２と、正の屈折力を持つ第３３レンズ群Ｌ３３とを有し、前記第３２レンズ群Ｌ３２は防振時に光軸と垂直な方向に移動し、以下に示す条件式（１）乃至（６）を満足することを特徴とする結像光学系。
（１）    ０．４５＜ｆ１／ｆ＜０．６０
（２）    ０．３５＜｜ｆ２｜／ｆ＜０．６５
（３）    ０．６０＜ｆ３／ｆ＜３．００
（４）    ０．５０＜ｆ３１／ｆ＜１．５０
（５）    ０．１５＜｜ｆ３２｜／ｆ＜０．２０
（６）    ０．１５＜ｆ３３／ｆ＜０．３０
ｆｉ：第ｉレンズ群の焦点距離
ｆ：結像光学系全体の焦点距離
【０００８】
また、第２の発明は、前記第１の発明であって、さらに以下に示す条件式（７）乃至（９）を満足することを特徴とする結像光学系。
（７）    −０．９０＜ＳＦ１＜−０．６４
（８）    −１．８０＜ＳＦ２＜−０．５３
（９）    −０．１０＜ＳＦ３＜０．８０ 
ＳＦ１：第１１レンズ群Ｌ１１の最も物体側のレンズである第１レンズＧ１の形状因子
ＳＦ２：第１１レンズ群Ｌ１１の物体側から２番目のレンズである第２レンズＧ２の形状因子
ＳＦ３：第１１レンズ群Ｌ１１の物体側から３番目のレンズである第３レンズＧ３の形状因子
ＳＦｎ：物体側からｎ番目のレンズの物体側の曲率半径をＲ１ｎ、像面側の曲率半径をＲ２ｎとしたとき
ＳＦｎ＝（Ｒ１ｎ＋Ｒ２ｎ）／（Ｒ１ｎ−Ｒ２ｎ）
であらわされる形状因子
【０００９】
また、第３の発明は、前記第１または第２の発明であって、さらに以下に示す条件式（１０）及び（１１）を満足することを特徴とする結像光学系。
（１０）    ３．１０＜ＳＦ４＜４．５０
（１１）    −１．８０＜ＳＦ５＜−１．３５
ＳＦ４：第１２レンズ群Ｌ１２の最も物体側のレンズである第４レンズＧ４の形状因子
ＳＦ５：第１２レンズ群Ｌ１２の物体側から２番目のレンズである第５レンズＧ５の形状因子
【発明の効果】
【００１０】
本発明によれば、レンズの望遠比を小さく保ちながら、製造敏感度が弱く、良好な防振機能を有し、諸収差を良好に補正した、小型かつ軽量な、高い光学性能を有する結像光学系を提供することができる。
【図面の簡単な説明】
【００１１】
【図１】本発明の実施例１のレンズ構成図である。
【図２】本発明の実施例１の物体距離無限遠における縦収差図である。
【図３】（ａ）は本発明の実施例１の物体距離無限遠における横収差図であり、（ｂ）は本発明の実施例１の物体距離無限遠におけるｄ線に対するｇ線とＣ線の倍率色収差図である。
【図４】本発明の実施例１の物体距離無限遠における０．３°手振れ補正時の横収差である。
【図５】本発明の実施例１の物体距離１２０００ｍｍにおける縦収差図である。
【図６】（ａ）は本発明の実施例１の物体距離１２０００ｍｍにおける横収差図であり、（ｂ）は本発明の実施例１の物体距離１２０００ｍｍにおけるｄ線に対するｇ線とＣ線の倍率色収差図である。
【図７】本発明の実施例１の物体距離１２０００ｍｍにおける０．３°手振れ補正時の横収差である。
【図８】本発明の実施例２のレンズ構成図である。
【図９】本発明の実施例２の物体距離無限遠における縦収差図である。
【図１０】（ａ）は本発明の実施例２の物体距離無限遠における横収差図であり、（ｂ）は本発明の実施例２の物体距離無限遠におけるｄ線に対するｇ線とＣ線の倍率色収差図である。
【図１１】本発明の実施例２の物体距離無限遠における０．３°手振れ補正時の横収差である。
【図１２】本発明の実施例２の物体距離１２０００ｍｍにおける縦収差図である。
【図１３】（ａ）は本発明の実施例２の物体距離１２０００ｍｍにおける横収差図であり、（ｂ）は本発明の実施例２の物体距離１２０００ｍｍにおけるｄ線に対するｇ線とＣ線の倍率色収差図である。
【図１４】本発明の実施例２の物体距離１２０００ｍｍにおける０．３°手振れ補正時の横収差である。
【図１５】本発明の実施例３のレンズ構成図である。
【図１６】本発明の実施例３の物体距離無限遠における縦収差図である。
【図１７】（ａ）は本発明の実施例３の物体距離無限遠における横収差図であり、（ｂ）は本発明の実施例３の物体距離無限遠におけるｄ線に対するｇ線とＣ線の倍率色収差図である。
【図１８】本発明の実施例３の物体距離無限遠における０．３°手振れ補正時の横収差である。
【図１９】本発明の実施例３の物体距離１２０００ｍｍにおける縦収差図である。
【図２０】（ａ）は本発明の実施例３の物体距離１２０００ｍｍにおける横収差図であり、（ｂ）は本発明の実施例３の物体距離１２０００ｍｍにおけるｄ線に対するｇ線とＣ線の倍率色収差図である。
【図２１】本発明の実施例３の物体距離１２０００ｍｍにおける０．３°手振れ補正時の横収差である。
【図２２】本発明の実施例４のレンズ構成図である。
【図２３】本発明の実施例４の物体距離無限遠における縦収差図である。
【図２４】（ａ）は本発明の実施例４の物体距離無限遠における横収差図であり、（ｂ）は本発明の実施例４の物体距離無限遠におけるｄ線に対するｇ線とＣ線の倍率色収差図である。
【図２５】本発明の実施例４の物体距離無限遠における０．３°手振れ補正時の横収差である。
【図２６】本発明の実施例４の物体距離１２０００ｍｍにおける縦収差図である。
【図２７】（ａ）は本発明の実施例４の物体距離１２０００ｍｍにおける横収差図であり、（ｂ）は本発明の実施例４の物体距離１２０００ｍｍにおけるｄ線に対するｇ線とＣ線の倍率色収差図である。
【図２８】本発明の実施例４の物体距離１２０００ｍｍにおける０．３°手振れ補正時の横収差である。
【図２９】本発明の実施例５のレンズ構成図である。
【図３０】本発明の実施例５の物体距離無限遠における縦収差図である。
【図３１】（ａ）は本発明の実施例５の物体距離無限遠における横収差図であり、（ｂ）は本発明の実施例５の物体距離無限遠におけるｄ線に対するｇ線とＣ線の倍率色収差図である。
【図３２】本発明の実施例５の物体距離無限遠における０．３°手振れ補正時の横収差である。
【図３３】本発明の実施例５の物体距離１２０００ｍｍにおける縦収差図である。
【図３４】（ａ）は本発明の実施例５の物体距離１２０００ｍｍにおける横収差図であり、（ｂ）は本発明の実施例５の物体距離１２０００ｍｍにおけるｄ線に対するｇ線とＣ線の倍率色収差図である。
【図３５】本発明の実施例５の物体距離１２０００ｍｍにおける０．３°手振れ補正時の横収差である。
【図３６】本発明の実施例６のレンズ構成図である。
【図３７】本発明の実施例６の物体距離無限遠における縦収差図である。
【図３８】（ａ）は本発明の実施例６の物体距離無限遠における横収差図であり、（ｂ）は本発明の実施例６の物体距離無限遠におけるｄ線に対するｇ線とＣ線の倍率色収差図である。
【図３９】本発明の実施例６の物体距離無限遠における０．３°手振れ補正時の横収差である。
【図４０】本発明の実施例６の物体距離１２０００ｍｍにおける縦収差図である。
【図４１】（ａ）は本発明の実施例６の物体距離１２０００ｍｍにおける横収差図であり、（ｂ）は本発明の実施例６の物体距離１２０００ｍｍにおけるｄ線に対するｇ線とＣ線の倍率色収差図である。
【図４２】本発明の実施例６の物体距離１２０００ｍｍにおける０．３°手振れ補正時の横収差である。
【図４３】本発明の実施例７のレンズ構成図である。
【図４４】本発明の実施例７の物体距離無限遠における縦収差図である。
【図４５】（ａ）は本発明の実施例７の物体距離無限遠における横収差図であり、（ｂ）は本発明の実施例７の物体距離無限遠におけるｄ線に対するｇ線とＣ線の倍率色収差図である。
【図４６】本発明の実施例７の物体距離無限遠における０．３°手振れ補正時の横収差である。
【図４７】本発明の実施例７の物体距離１２０００ｍｍにおける縦収差図である。
【図４８】（ａ）は本発明の実施例７の物体距離１２０００ｍｍにおける横収差図であり、（ｂ）は本発明の実施例７の物体距離１２０００ｍｍにおけるｄ線に対するｇ線とＣ線の倍率色収差図である。
【図４９】本発明の実施例７の物体距離１２０００ｍｍにおける０．３°手振れ補正時の横収差である。
【図５０】本発明の実施例８のレンズ構成図である。
【図５１】本発明の実施例８の物体距離無限遠における縦収差図である。
【図５２】（ａ）は本発明の実施例８の物体距離無限遠における横収差図であり、（ｂ）は本発明の実施例８の物体距離無限遠におけるｄ線に対するｇ線とＣ線の倍率色収差図である。
【図５３】本発明の実施例８の物体距離無限遠における０．３°手振れ補正時の横収差である。
【図５４】本発明の実施例８の物体距離１２０００ｍｍにおける縦収差図である。
【図５５】（ａ）は本発明の実施例８の物体距離１２０００ｍｍにおける横収差図であり、（ｂ）は本発明の実施例８の物体距離１２０００ｍｍにおけるｄ線に対するｇ線とＣ線の倍率色収差図である。
【図５６】本発明の実施例８の物体距離１２０００ｍｍにおける０．３°手振れ補正時の横収差である。
【図５７】本発明の実施例９のレンズ構成図である。
【図５８】本発明の実施例９の物体距離無限遠における縦収差図である。
【図５９】（ａ）は本発明の実施例９の物体距離無限遠における横収差図であり、（ｂ）は本発明の実施例９の物体距離無限遠におけるｄ線に対するｇ線とＣ線の倍率色収差図である。
【図６０】本発明の実施例９の物体距離無限遠における０．３°手振れ補正時の横収差である。
【図６１】本発明の実施例９の物体距離１２０００ｍｍにおける縦収差図である。
【図６２】（ａ）は本発明の実施例９の物体距離１２０００ｍｍにおける横収差図であり、（ｂ）は本発明の実施例９の物体距離１２０００ｍｍにおけるｄ線に対するｇ線とＣ線の倍率色収差図である。
【図６３】本発明の実施例９の物体距離１２０００ｍｍにおける０．３°手振れ補正時の横収差である。
【図６４】本発明の実施例１０のレンズ構成図である。
【図６５】本発明の実施例１０の物体距離無限遠における縦収差図である。
【図６６】（ａ）は本発明の実施例１０の物体距離無限遠における横収差図であり、（ｂ）は本発明の実施例１０の物体距離無限遠におけるｄ線に対するｇ線とＣ線の倍率色収差図である。
【図６７】本発明の実施例１０の物体距離無限遠における０．３°手振れ補正時の横収差である。
【図６８】本発明の実施例１０の物体距離１２０００ｍｍにおける縦収差図である。
【図６９】（ａ）は本発明の実施例１０の物体距離１２０００ｍｍにおける横収差図であり、（ｂ）は本発明の実施例１０の物体距離１２０００ｍｍにおけるｄ線に対するｇ線とＣ線の倍率色収差図である。
【図７０】本発明の実施例１０の物体距離１２０００ｍｍにおける０．３°手振れ補正時の横収差である。
【図７１】本発明の実施例１１のレンズ構成図である。
【図７２】本発明の実施例１１の物体距離無限遠における縦収差図である。
【図７３】（ａ）は本発明の実施例１１の物体距離無限遠における横収差図であり、（ｂ）は本発明の実施例１１の物体距離無限遠におけるｄ線に対するｇ線とＣ線の倍率色収差図である。
【図７４】本発明の実施例１１の物体距離無限遠における０．３°手振れ補正時の横収差である。
【図７５】本発明の実施例１１の物体距離１２０００ｍｍにおける縦収差図である。
【図７６】（ａ）は本発明の実施例１１の物体距離１２０００ｍｍにおける横収差図であり、（ｂ）は本発明の実施例１１の物体距離１２０００ｍｍにおけるｄ線に対するｇ線とＣ線の倍率色収差図である。
【図７７】本発明の実施例１１の物体距離１２０００ｍｍにおける０．３°手振れ補正時の横収差である。
【図７８】本発明の実施例１２のレンズ構成図である。
【図７９】本発明の実施例１２の物体距離無限遠における縦収差図である。
【図８０】（ａ）は本発明の実施例１２の物体距離無限遠における横収差図であり、（ｂ）は本発明の実施例１２の物体距離無限遠におけるｄ線に対するｇ線とＣ線の倍率色収差図である。
【図８１】本発明の実施例１２の物体距離無限遠における０．３°手振れ補正時の横収差である。
【図８２】本発明の実施例１２の物体距離１２０００ｍｍにおける縦収差図である。
【図８３】（ａ）は本発明の実施例１２の物体距離１２０００ｍｍにおける横収差図であり、（ｂ）は本発明の実施例１２の物体距離１２０００ｍｍにおけるｄ線に対するｇ線とＣ線の倍率色収差図である。
【図８４】本発明の実施例１２の物体距離１２０００ｍｍにおける０．３°手振れ補正時の横収差である。
【発明を実施するための形態】
【００１２】
本実施形態に係る結像光学系は、物体側から像面側へ順に、正の屈折力を持つ第１レンズ群Ｌ１と、負の屈折力を持つ第２レンズ群Ｌ２と、正の屈折力を持つ第３レンズ群Ｌ３とからなり、前記第１レンズ群Ｌ１は、第１１レンズ群Ｌ１１と第１２レンズ群Ｌ１２とを有し、前記第１１レンズ群Ｌ１１は、物体側に凸面を向けた正レンズと、物体側に凸面を向けた正レンズと、両凹レンズから構成され、前記第１２レンズ群Ｌ１２は、物体側に凸面を向けた凹レンズと物体側に凸面を向けた正レンズとの接合レンズであり、前記第２レンズ群Ｌ２はフォーカシングに際して光軸方向に移動し、前記第３レンズ群Ｌ３は、正の屈折力を持つ第３１レンズ群Ｌ３１と、負の屈折力を持つ第３２レンズ群Ｌ３２と、正の屈折力を持つ第３３レンズ群Ｌ３３とを有し、前記第３２レンズ群Ｌ３２は防振時に光軸と垂直な方向に移動する構成となっている。
【００１３】
本実施形態に係る結像光学系では、第１レンズ群Ｌ１は全体として高い光線高を収斂させ、第２レンズ群Ｌ２に入射する光線高を低くする役割を持つ。第１レンズ群Ｌ１は、正の屈折率を持ち、高い光線高を収斂させる作用を持つ第１１レンズ群Ｌ１１と、光線高を収斂させることで発生する球面収差、色収差を補正して、第１レンズ群Ｌ１全体として発生する収差を補正してフォーカスレンズ群である第２レンズ群Ｌ２に導く作用をもつ第１２レンズ群Ｌ１２に分かれている。第１レンズ群Ｌ１の正レンズは、２次スペクトルの発生を最小限に抑えるため、低分散のガラスを使用し、凹レンズでは正レンズで発生した色収差を補正するため比較的分散の大きい負レンズで構成されることで、第１レンズ群Ｌ１で発生する球面収差のみならず、色収差も良好に補正し第２レンズ群Ｌ２に光線を導くことが可能になる。
【００１４】
また本実施形態に係る結像光学系では、第２レンズ群Ｌ２は、フォーカシングに際して光軸に沿って移動し、諸収差を適切に補正しながら、適切な結像位置へ光線を導く役割を持つ。また、第２レンズ群Ｌ２はフォーカシングに要する移動量が小さく、軽量である。そのため、第２レンズ群Ｌ２を駆動するモーターの小型化が可能となり、撮影レンズの小型化を図ることができる。また、同じ性能のモーターであれば、より高速に第２レンズ群Ｌ２を駆動することができるため、高速なフォーカシングを実現することができる。
【００１５】
また本実施形態に係る結像光学系では、第３レンズ群Ｌ３は、第１レンズ群Ｌ１及び第２レンズ群Ｌ２の残存する収差を補正する役割と、光軸と垂直な方向にレンズを移動させて防振を行う役割とを持つ。しかしながら、第３レンズ群Ｌ３全体を移動すると、移動するレンズの重量が大きいため、防振のために第３レンズ群Ｌ３を移動するモーターが大型化する。よって、第３レンズ群Ｌ３を３つに分けそれぞれに役割を与えた。第３１レンズ群Ｌ３１は、第１レンズ群Ｌ１、第２レンズ群Ｌ２で発生した諸収差を補正すると共に、第２レンズ群Ｌ２を通過した光をさらに収斂させ、第３２レンズ群Ｌ３２へ入射する光線高を低くして、防振ユニットを小さく、軽量にする役割を持つ、また、第３２レンズ群Ｌ３２は、防振時に光軸と垂直な方向に移動させて補正を行う役割を持つ。さらに、第３３レンズ群Ｌ３３は、第３２レンズ群Ｌ３２の偏心移動量を少なく保ちつつ、像面位置での変位量を満足させる役割を持つ。また、本実施形態に係る結像光学系では、各レンズ群の屈折力配置を最適化する事で、小型化と諸収差を抑えた高性能化を達成している。
【００１６】
また、各実施例の結像光学系は、以下の条件式（１）〜（６）を満足する特徴を有している。
（１）    ０．４５＜ｆ１／ｆ＜０．６０
（２）    ０．３５＜｜ｆ２｜／ｆ＜０．６５
（３）    ０．６０＜ｆ３／ｆ＜３．００
（４）    ０．５０＜ｆ３１／ｆ＜１．５０
（５）    ０．１５＜｜ｆ３２｜／ｆ＜０．２０
（６）    ０．１５＜ｆ３３／ｆ＜０．３０
ｆｉ：第ｉレンズ群の焦点距離
ｆ：結像光学系全体の焦点距離
【００１７】
条件式（１）〜（３）は、本発明に係る結像光学系が小型化と高性能化を両立するために、各レンズ群の焦点距離を規定したものである。
【００１８】
条件式（１）の上限値を上回ると、第１レンズ群Ｌ１の焦点距離が長くなり、正の屈折力が弱くなる。そのため、第１レンズ群Ｌ１で生じる諸収差、特に球面収差の補正には適している。しかしながら、テレフォトタイプの作用が弱くなり、結像光学系の全長が伸びるだけでなく、第２レンズ群Ｌ２に入射する光線高を十分に低くすることができず、さらにレンズ重量も増すため、結像光学系の小型化が困難になる。よって、本発明の効果をより確実に得るために、条件式（１）の上限値は０．６０とするのが好ましい。
【００１９】
条件式（１）の下限値を下回ると、第１レンズ群Ｌ１の焦点距離が短くなり、正の屈折力が強くなる。そのため、結像光学系の小型化には有利になるが、第１レンズ群Ｌ１で発生する諸収差、特に無限遠合焦時の高次の球面収差が増大し、これを良好に補正することが困難になる。よって、本発明の効果をより確実に得るために、条件式（１）の下限値は０．４５とするのが好ましい。
【００２０】
条件式（２）の上限値を上回ると、第２レンズ群Ｌ２の焦点距離が長くなるためフォーカシングに伴う第２レンズ群Ｌ２の移動量が増加する。よって、結像光学系内に広いスペースを確保しなければならず、結像光学系の小型化に障害となる。よって、本発明の効果をより確実に得るために、条件式（２）の上限値は０．６５とするのが好ましい。
【００２１】
条件式（２）の下限値を下回ると、第２レンズ群Ｌ２の焦点距離が短くなり、フォーカシングに伴う第２レンズ群Ｌ２の移動量が減少する。これは、結像光学系の小型化には有効であるものの、フォーカシングに伴うコマ収差の変動が増大し、これを良好に補正することが困難になる。よって、本発明の効果をより確実に得るために、条件式（２）の下限値は０．３５とするのが好ましい。
【００２２】
条件式（３）の上限値を上回ると、第３レンズ群Ｌ３の焦点距離が長くなる。これにより、バックフォーカスが長くなり過ぎるため、結像光学系の小型化には障害となる。よって、本発明の効果をより確実に得るために、条件式（３）の上限値３．００とするのが好ましい。
【００２３】
条件式（３）の下限値を下回ると、第３レンズ群Ｌ３の焦点距離が短くなり、球面収差やコマフレアを補正するために、第３レンズ群Ｌ３の枚数が増え、結像光学系の小型化には障害となる。よって、本発明の効果をより確実に得るために、条件式（３）の下限値は０．６０とするのが好ましい。
【００２４】
条件式（４）〜（６）は、防振時に第３２レンズ群Ｌ３２を光軸と垂直な方向に移動した際に、適切な像面移動量を得ながら、防振時でも良好な像面性能を得るために、第３レンズ群Ｌ３に含まれる各レンズ群の焦点距離を規定したものである。
【００２５】
条件式（４）の上限値を上回ると、第３１レンズ群Ｌ３１の焦点距離が長くなるが、収差バランスを良好に維持するためには、特に第２レンズ群Ｌ２と第３３レンズ群Ｌ３３の焦点距離を変化させる必要がある。第２レンズ群Ｌ２の焦点距離が長くなると、第２レンズ群Ｌ２自体の収差が小さくなる。しかしながら、第３３群の焦点距離を小さくしなければならず、第３３レンズ群Ｌ３３自体のコマ収差、非点収差、及び色収差が大きくなり、像高が高い部分の性能が低下する。よって、本発明の効果をより確実に得るために、条件式（４）の上限値は１．５０とするのが好ましい。
【００２６】
条件式（４）の下限値を下回ると、第３１レンズ群Ｌ３１の焦点距離が短くなるが、結像光学系の焦点距離を維持しながら収差バランスを良好に維持するためには、特に第２レンズ群Ｌ２と第３２レンズ群Ｌ３２の焦点距離を変える必要がある。第２レンズ群Ｌ２の焦点距離が大きくなると第２レンズ群Ｌ２自体の収差は小さくなるが、第３２レンズ群Ｌ３２の焦点距離を小さくしなければならず、第３２レンズ群Ｌ３２自体のコマ収差及び色収差が大きくなる。防振時には、第３２レンズ群Ｌ３２を光軸と垂直方向へ移動させる必要が生じ、プラス側象限へ移動させた際のプラス像高のメリジオナルの非点収差はプラス側に変位し、マイナス像高のメリジオナルの非点収差はマイナス側へ変位して非対称な非点収差が発生、及び第３２レンズ群Ｌ３２自体で発生しているコマ収差と色収差の悪化により、像高が高い領域での性能低下及び像高の中間領域での性能低下に繋がり、補正が困難になる。よって、本発明の効果をより確実に得るために、条件式（４）の下限値は０．５０とするのが好ましい。
【００２７】
条件式（５）の上限値を上回ると、第３２レンズ群Ｌ３２の焦点距離が長くなり、防振群の単位移動量に対する像面移動量の比が小さくなり、防振移動量を大きくする必要が生じる。そのため、防振群を移動するためのモーターが大型化してしまうため、小型な結像光学系とするのに障害となる。よって、本発明の効果をより確実に得るために、条件式（５）の上限値０．２０とするのが好ましい。
【００２８】
条件式（５）の下限値を下回ると、第３２レンズ群Ｌ３２の焦点距離が短くなり、防振移動量を小さくすることができるが、第３２レンズ群Ｌ３２自体のコマ収差及び色収差が増大、ディストーションも大きく悪化し、これを良好に補正することが困難になる。よって、本発明の効果をより確実に得るために、条件式（５）の下限値は０．１５とするのが好ましい。
【００２９】
条件式（６）の上限値を上回ると、第３３レンズ群Ｌ３３の焦点距離が長くなり、防振時に、第３２レンズ群Ｌ３２を通過した光線が、防振を行うための十分な結像位置変位を得ることができないため、第３２レンズ群Ｌ３２の防振移動量が増大する。よって、本発明の効果をより確実に得るために、条件式（６）の上限値０．３０とするのが好ましい。
【００３０】
条件式（６）の下限値を下回ると、防振時には、第３３レンズ群Ｌ３３の焦点距離が短くなり、バックフォーカスを短くして、小型な全系にすることができるが、防振時に第３２レンズ群Ｌ３２を光軸と垂直方向へ移動させた際に、プラス側象限へ移動させた際のプラス像高のサジタルの非点収差がプラス側に変位し、像高が高い部分での性能低下に繋がり、マイナス像高の中間領域ではコマ収差が悪化し、像高の中間領域での性能の低下に繋がり補正が困難になる。よって、本発明の効果をより確実に得るために、条件式（６）の下限値は０．１５とするのが好ましい。
【００３１】
また、第２レンズ群Ｌ２は、物体側より順に、物体側に凸面を向けたメニスカス状の負レンズと、物体側に凸面を向けたメニスカス状の正レンズを接合したレンズのみで構成される。このような構成により、フォーカスレンズ群の軽量化が可能となり、撮影レンズの小型軽量化や高速なフォーカシング動作が実現できる。
【００３２】
また、各実施例の光学系は、さらに以下に示す条件式（７）乃至（９）を満足することを特徴とする。
（７）    −０．９０＜ＳＦ１＜−０．６４
（８）    −１．８０＜ＳＦ２＜−０．５３
（９）    −０．１０＜ＳＦ３＜０．８０
ＳＦ１：第１１レンズ群Ｌ１１の最も物体側のレンズである第１レンズＧ１の形状因子
ＳＦ２：第１１レンズ群Ｌ１１の物体側から２番目のレンズである第２レンズＧ２の形状因子
ＳＦ３：第１１レンズ群Ｌ１１の物体側から３番目のレンズである第３レンズＧ３の形状因子
ＳＦｎ：物体側からｎ番目のレンズの物体側の曲率半径をＲ１ｎ、像面側の曲率半径をＲ２ｎとしたとき
ＳＦｎ＝（Ｒ１ｎ＋Ｒ２ｎ）／（Ｒ１ｎ−Ｒ２ｎ）
であらわされる形状因子
【００３３】
条件式（７）は、第１レンズ群Ｌ１を構成する第１レンズＧ１の形状を規定する。第１レンズＧ１は第１１レンズ群Ｌ１１の最も物体側のレンズである第１レンズＧ１の物体側の面Ｒ１１の形状と像面側の面Ｒ２１の形状とを規定することで、このレンズで発生する球面収差の量を小さくし、また比較的屈折率の小さな低分散な硝材を選択することで軸上色収差の発生を最小限に抑えることが可能になる。
【００３４】
条件式（７）の下限を下回ると、第１レンズＧ１の正の屈折力の屈折力負担をより物体側の面Ｒ１１に求めることになる。その場合Ｒ１１面で発生する球面収差が増大し、性能低下に繋がる。また条件式（７）の上限を上回ると反対に像面側の面Ｒ２１面における屈折力負担が大きくなり、同じく球面収差増大、性能低下に繋がる。よって、本発明の効果をより確実に得るために、第１レンズＧ１を構成する正レンズには条件式（７）の範囲の曲率半径を設定することが望ましい。
【００３５】
条件式（８）は、第１レンズ群Ｌ１を構成する第２レンズＧ２の形状を規定する。第２レンズＧ２の物体側の面Ｒ１２の形状と像面側の面Ｒ２２の形状とを規定することで、このレンズでの製造敏感度量を小さくし、また、第１レンズＧ１と同じく軸上色収差量の発生を最小に抑えることが可能になる。
【００３６】
条件式（８）の下限を下回ると、正の屈折力を持つ第３レンズＧ３のレンズ形状がきつい凸メニス形状になる。正の屈折力を持つ第１レンズＧ１の収斂作用により、第２レンズＧ２の光線高は低くなっているが、Ｒ１２の曲率半径が小さくなることを示し、やはり球面収差の発生が増大する。また（８）の上限を上回ると、正レンズである第２レンズＧ２がメニスカスレンズではなく、両凸レンズとなり、Ｒ２２に入射する光線高が相対的に高くなる上に、Ｒ２２に入射する入射角度が大きくなり、製造時の製造公差内ばらつきによる性能低下像面中心に影響する球面収差のみならず、像面周辺部に影響する非点収差、像面湾曲収差も発生し、像面全体で結像性能を低下させることになる。
【００３７】
条件式（９）は、第１レンズ群Ｌ１を構成する第３レンズＧ３の形状を規定する。第３レンズＧ３の物体側の面Ｒ１３の形状と像面側の面Ｒ２３の形状とを規定することで、負の屈折力を持つ両凹レンズである第３レンズＧ３が第１レンズＧ１及び第２レンズＧ２で発生した軸上色収差を的確に補正することが可能になる。
【００３８】
条件式（９）の下限を下回ると負の屈折力を持つ第３レンズＧ３の物体側の面Ｒ１３の屈折力負担が大きくなりすぎて物体側の面Ｒ１３での３次収差係数が大きく発生し、より後方のレンズでの補正が困難になる。またこの面Ｒ１３の収差係数が大きいということは、製造敏感度が高いことを意味し、製造時の偏芯収差発生、性能低下に繋がりやすい。また、条件式（８）の上限を上回ると面Ｒ１３の曲率半径が大きくなることを意味し、第１レンズＧ１及び第２レンズＧ２の正レンズで発生した色収差を第３レンズＧ３で補正することが困難になる。
【００３９】
また、各実施例の光学系は、さらに以下に示す条件式（１０）及び（１１）を満足することを特徴とする。
（１０）    ３．１０＜ＳＦ４＜４．５０
（１１）    −１．８０＜ＳＦ５＜−１．３５ 
ＳＦ４：第１２レンズ群Ｌ１２の最も物体側のレンズである第４レンズＧ４の形状因子
ＳＦ５：第１２レンズ群Ｌ１２の物体側から２番目のレンズである第５レンズＧ５の形状因子
【００４０】
条件式（１０）及び（１１）は、第１２レンズ群Ｌ１２を構成する負レンズ、及び正レンズの形状を規定する条件である。この第１２レンズ群Ｌ１２は第１１レンズ群Ｌ１１で発生した軸上色収差、球面収差を補正し、フォーカスレンズ群である第２レンズ群Ｌ２に光線を導く役割を持っている。
【００４１】
条件式（１０）の上限、もしくは条件式（１１）の下限を超えると、第１２レンズ群Ｌ１２で発生する球面収差量が少なくなり、第１１レンズ群Ｌ１１で発生した球面収差を十分にこの群で補正することができなくなる。逆に条件式（１０）の下限、もしくは条件式（１１）の上限を超えると、第１２レンズ群Ｌ１２の屈折力が弱くなるにもかかわらず、球面収差の発生が大きくなりすぎる。
【００４２】
次に、本発明の結像光学系に係る実施例のレンズ構成について説明する。なお、以下の説明ではレンズ構成を物体側から像面側の順番で記載する。
【実施例１】
【００４３】
図１は、本発明の実施例１の結像光学系のレンズ構成図である。第１レンズ群Ｌ１は、正の屈折力を持つ両凸レンズ、正の屈折力を持つ物体側に凸を向けたレンズ、及び負の屈折力を持つ両凹レンズからなる第１１レンズ群Ｌ１１と、負の屈折力を持つ物体側に凸を向けたレンズと正の屈折力を持つ物体側に凸を向けたレンズとから成る接合レンズである第１２レンズ群Ｌ１２とで構成されており、全体として正の屈折力を持っている。
【００４４】
第２レンズ群Ｌ２は、負の屈折力を持つ物体側に凸を向けたレンズと正の屈折力を持つ物体側に凸を向けたレンズとから成る接合レンズ、で構成されており、全体として負の屈折力を持っている。
この第２レンズ群Ｌ２は、無限遠から近距離へのフォーカシングに際して光軸に沿って像面側に移動する。
【００４５】
第３１レンズ群Ｌ３１は、正の屈折力を持つ物体側に凸を向けたレンズで構成されており、全体として正の屈折力を持っている。
【００４６】
第３２レンズ群Ｌ３２は、正の屈折力を持つ像面側に凸を向けたレンズと負の屈折力を持つ両凹レンズとから成る接合レンズ、負の屈折力を持つ両凹レンズ、で構成されており、全体として負の屈折力を持っている。この第３２レンズ群Ｌ３２は、手振れ補正に際して光軸と垂直な方向に移動する。
【００４７】
第３３レンズ群Ｌ３３は、正の屈折力を持つ両凸レンズ、正の屈折力を持つ両凸レンズと負の屈折力を持つ両凹レンズとから成る接合レンズ、で構成されており、全体として正の屈折力を持っている。
【実施例２】
【００４８】
図６は、本発明の実施例２の結像光学系のレンズ構成図である。第１レンズ群Ｌ１は、正の屈折力を持つ両凸レンズ、正の屈折力を持つ物体側に凸を向けたレンズ、及び負の屈折力を持つ両凹レンズからなる第１１レンズ群Ｌ１１と、負の屈折力を持つ物体側に凸を向けたレンズと正の屈折力を持つ物体側に凸を向けたレンズとから成る接合レンズである第１２レンズ群Ｌ１２とで構成されており、全体として正の屈折力を持っている。
【００４９】
第２レンズ群Ｌ２は、負の屈折力を持つ物体側に凸を向けたレンズと正の屈折力を持つ物体側に凸を向けたレンズとから成る接合レンズ、で構成されており、全体として負の屈折力を持っている。この第２レンズ群Ｌ２は、無限遠から近距離へのフォーカシングに際して光軸に沿って像面側に移動する。
【００５０】
第３１レンズ群Ｌ３１は、正の屈折力を持つ両凸レンズで構成されており、全体として正の屈折力を持っている。
【００５１】
第３２レンズ群Ｌ３２は、正の屈折力を持つ像面側に凸を向けたレンズと負の屈折力を持つ両凹レンズとから成る接合レンズ、負の屈折力を持つ両凹レンズ、で構成されており、全体として負の屈折力を持っている。この第３２レンズ群Ｌ３２は、手振れ補正に際して光軸と垂直な方向に移動する。
【００５２】
第３３レンズ群Ｌ３３は、正の屈折力を持つ両凸レンズ、正の屈折力を持つ両凸レンズと負の屈折力を持つ両凹レンズとから成る接合レンズ、で構成されており、全体として正の屈折力を持っている。
【実施例３】
【００５３】
図６は、本発明の実施例３の結像光学系のレンズ構成図である。第１レンズ群Ｌ１は、正の屈折力を持つ両凸レンズ、正の屈折力を持つ物体側に凸を向けたレンズ、及び負の屈折力を持つ両凹レンズからなる第１１レンズ群Ｌ１１と、負の屈折力を持つ物体側に凸を向けたレンズと正の屈折力を持つ物体側に凸を向けたレンズとから成る接合レンズである第１２レンズ群Ｌ１２とで構成されており、全体として正の屈折力を持っている。
【００５４】
第２レンズ群Ｌ２は、負の屈折力を持つ物体側に凸を向けたレンズと正の屈折力を持つ物体側に凸を向けたレンズとから成る接合レンズ、で構成されており、全体として負の屈折力を持っている。この第２レンズ群Ｌ２は、無限遠から近距離へのフォーカシングに際して光軸に沿って像面側に移動する。
【００５５】
第３１レンズ群Ｌ３１は、正の屈折力を持つ両凸レンズで構成されており、全体として正の屈折力を持っている。
【００５６】
第３２レンズ群Ｌ３２は、正の屈折力を持つ像面側に凸を向けたレンズ、負の屈折力を持つ両凹レンズ、負の屈折力を持つ両凹レンズ、で構成されており、全体として負の屈折力を持っている。
この第３２レンズ群Ｌ３２は、手振れ補正に際して光軸と垂直な方向に移動する。
【００５７】
第３３レンズ群Ｌ３３は、正の屈折力を持つ両凸レンズ、正の屈折力を持つ両凸レンズ、負の屈折力を持つ両凹レンズ、で構成されており、全体として正の屈折力を持っている。
【実施例４】
【００５８】
図６は、本発明の実施例４の結像光学系のレンズ構成図である。第１レンズ群Ｌ１は、正の屈折力を持つ両凸レンズ、正の屈折力を持つ物体側に凸を向けたレンズ、及び負の屈折力を持つ両凹レンズからなる第１１レンズ群Ｌ１１と、負の屈折力を持つ物体側に凸を向けたレンズと正の屈折力を持つ物体側に凸を向けたレンズとから成る接合レンズである第１２レンズ群Ｌ１２とで構成されており、全体として正の屈折力を持っている。
【００５９】
第２レンズ群Ｌ２は、負の屈折力を持つ物体側に凸を向けたレンズと正の屈折力を持つ物体側に凸を向けたレンズとから成る接合レンズ、で構成されており、全体として負の屈折力を持っている。この第２レンズ群Ｌ２は、無限遠から近距離へのフォーカシングに際して光軸に沿って像面側に移動する。
【００６０】
第３１レンズ群Ｌ３１は、正の屈折力を持つ両凸レンズで構成されており、全体として正の屈折力を持っている。
【００６１】
第３２レンズ群Ｌ３２は、正の屈折力を持つ像面側に凸を向けたレンズ、負の屈折力を持つ両凹レンズ、負の屈折力を持つ両凹レンズ、で構成されており、全体として負の屈折力を持っている。
この第３２レンズ群Ｌ３２は、手振れ補正に際して光軸と垂直な方向に移動する。
【００６２】
第３３レンズ群Ｌ３３は、正の屈折力を持つ両凸レンズ、正の屈折力を持つ両凸レンズ、負の屈折力を持つ両凹レンズ、で構成されており、全体として正の屈折力を持っている。
【実施例５】
【００６３】
図６は、本発明の実施例５の結像光学系のレンズ構成図である。第１レンズ群Ｌ１は、正の屈折力を持つ両凸レンズ、正の屈折力を持つ物体側に凸を向けたレンズ、及び負の屈折力を持つ両凹レンズからなる第１１レンズ群Ｌ１１と、負の屈折力を持つ物体側に凸を向けたレンズと正の屈折力を持つ物体側に凸を向けたレンズとから成る接合レンズである第１２レンズ群Ｌ１２とで構成されており、全体として正の屈折力を持っている。
【００６４】
第２レンズ群Ｌ２は、負の屈折力を持つ物体側に凸を向けたレンズと正の屈折力を持つ物体側に凸を向けたレンズとから成る接合レンズ、で構成されており、全体として負の屈折力を持っている。この第２レンズ群Ｌ２は、無限遠から近距離へのフォーカシングに際して光軸に沿って像面側に移動する。
【００６５】
第３１レンズ群Ｌ３１は、正の屈折力を持つ物体側に凸を向けたレンズで構成されており、全体として正の屈折力を持っている。
【００６６】
第３２レンズ群Ｌ３２は、正の屈折力を持つ像面側に凸を向けたレンズ、負の屈折力を持つ両凹レンズ、負の屈折力を持つ両凹レンズ、で構成されており、全体として負の屈折力を持っている。
この第３２レンズ群Ｌ３２は、手振れ補正に際して光軸と垂直な方向に移動する。
【００６７】
第３３レンズ群Ｌ３３は、正の屈折力を持つ両凸レンズ、正の屈折力を持つ両凸レンズ、負の屈折力を持つ両凹レンズ、で構成されており、全体として正の屈折力を持っている。
【実施例６】
【００６８】
図６は、本発明の実施例６の結像光学系のレンズ構成図である。第１レンズ群Ｌ１は、正の屈折力を持つ両凸レンズ、正の屈折力を持つ物体側に凸を向けたレンズ、及び負の屈折力を持つ両凹レンズからなる第１１レンズ群Ｌ１１と、負の屈折力を持つ物体側に凸を向けたレンズと正の屈折力を持つ物体側に凸を向けたレンズとから成る接合レンズである第１２レンズ群Ｌ１２とで構成されており、全体として正の屈折力を持っている。
【００６９】
第２レンズ群Ｌ２は、負の屈折力を持つ物体側に凸を向けたレンズと正の屈折力を持つ物体側に凸を向けたレンズとから成る接合レンズ、で構成されており、全体として負の屈折力を持っている。この第２レンズ群Ｌ２は、無限遠から近距離へのフォーカシングに際して光軸に沿って像面側に移動する。
【００７０】
第３１レンズ群Ｌ３１は、正の屈折力を持つ両凸レンズで構成されており、全体として正の屈折力を持っている。
【００７１】
第３２レンズ群Ｌ３２は、正の屈折力を持つ両凸レンズ、負の屈折力を持つ両凹レンズ、負の屈折力を持つ両凹レンズ、で構成されており、全体として負の屈折力を持っている。
この第３２レンズ群Ｌ３２は、手振れ補正に際して光軸と垂直な方向に移動する。
【００７２】
第３３レンズ群Ｌ３３は、正の屈折力を持つ両凸レンズ、正の屈折力を持つ両凸レンズ、負の屈折力を持つ像面側に凸を向けたレンズ、で構成されており、全体として正の屈折力を持っている。
【実施例７】
【００７３】
図６は、本発明の実施例７の結像光学系のレンズ構成図である。第１レンズ群Ｌ１は、正の屈折力を持つ両凸レンズ、正の屈折力を持つ物体側に凸を向けたレンズ、及び負の屈折力を持つ両凹レンズからなる第１１レンズ群Ｌ１１と、負の屈折力を持つ物体側に凸を向けたレンズと正の屈折力を持つ物体側に凸を向けたレンズとから成る接合レンズである第１２レンズ群Ｌ１２とで構成されており、全体として正の屈折力を持っている。
【００７４】
第２レンズ群Ｌ２は、負の屈折力を持つ物体側に凸を向けたレンズと正の屈折力を持つ物体側に凸を向けたレンズとから成る接合レンズ、で構成されており、全体として負の屈折力を持っている。この第２レンズ群Ｌ２は、無限遠から近距離へのフォーカシングに際して光軸に沿って像面側に移動する。
【００７５】
第３１レンズ群Ｌ３１は、正の屈折力を持つ両凸レンズで構成されており、全体として正の屈折力を持っている。
【００７６】
第３２レンズ群Ｌ３２は、正の屈折力を持つ両凸レンズ、負の屈折力を持つ両凹レンズ、負の屈折力を持つ両凹レンズ、で構成されており、全体として負の屈折力を持っている。
この第３２レンズ群Ｌ３２は、手振れ補正に際して光軸と垂直な方向に移動する。
【００７７】
第３３レンズ群Ｌ３３は、正の屈折力を持つ両凸レンズ、正の屈折力を持つ両凸レンズ、負の屈折力を持つ像面側に凸を向けたレンズ、で構成されており、全体として正の屈折力を持っている。
【実施例８】
【００７８】
図６は、本発明の実施例８の結像光学系のレンズ構成図である。第１レンズ群Ｌ１は、正の屈折力を持つ両凸レンズ、正の屈折力を持つ物体側に凸を向けたレンズ、及び負の屈折力を持つ両凹レンズからなる第１１レンズ群Ｌ１１と、負の屈折力を持つ物体側に凸を向けたレンズと正の屈折力を持つ物体側に凸を向けたレンズとから成る接合レンズである第１２レンズ群Ｌ１２とで構成されており、全体として正の屈折力を持っている。
【００７９】
第２レンズ群Ｌ２は、負の屈折力を持つ物体側に凸を向けたレンズと正の屈折力を持つ物体側に凸を向けたレンズとから成る接合レンズ、で構成されており、全体として負の屈折力を持っている。この第２レンズ群Ｌ２は、無限遠から近距離へのフォーカシングに際して光軸に沿って像面側に移動する。
【００８０】
第３１レンズ群Ｌ３１は、正の屈折力を持つ物体側に凸を向けたレンズで構成されており、全体として正の屈折力を持っている。
【００８１】
第３２レンズ群Ｌ３２は、正の屈折力を持つ像面側に凸を向けたレンズ、負の屈折力を持つ両凹レンズ、負の屈折力を持つ両凹レンズ、で構成されており、全体として負の屈折力を持っている。
この第３２レンズ群Ｌ３２は、手振れ補正に際して光軸と垂直な方向に移動する。
【００８２】
第３３レンズ群Ｌ３３は、正の屈折力を持つ両凸レンズ、正の屈折力を持つ両凸レンズ、負の屈折力を持つ両凹レンズ、で構成されており、全体として正の屈折力を持っている。
【実施例９】
【００８３】
図６は、本発明の実施例９の結像光学系のレンズ構成図である。第１レンズ群Ｌ１は、正の屈折力を持つ両凸レンズ、正の屈折力を持つ物体側に凸を向けたレンズ、及び負の屈折力を持つ両凹レンズからなる第１１レンズ群Ｌ１１と、負の屈折力を持つ物体側に凸を向けたレンズと正の屈折力を持つ物体側に凸を向けたレンズとから成る接合レンズである第１２レンズ群Ｌ１２とで構成されており、全体として正の屈折力を持っている。
【００８４】
第２レンズ群Ｌ２は、負の屈折力を持つ物体側に凸を向けたレンズと正の屈折力を持つ物体側に凸を向けたレンズとから成る接合レンズ、で構成されており、全体として負の屈折力を持っている。この第２レンズ群Ｌ２は、無限遠から近距離へのフォーカシングに際して光軸に沿って像面側に移動する。
【００８５】
第３１レンズ群Ｌ３１は、正の屈折力を持つ両凸レンズで構成されており、全体として正の屈折力を持っている。
【００８６】
第３２レンズ群Ｌ３２は、正の屈折力を持つ両凸レンズ、負の屈折力を持つ両凹レンズ、負の屈折力を持つ両凹レンズ、で構成されており、全体として負の屈折力を持っている。
この第３２レンズ群Ｌ３２は、手振れ補正に際して光軸と垂直な方向に移動する。
【００８７】
第３３レンズ群Ｌ３３は、正の屈折力を持つ両凸レンズ、正の屈折力を持つ両凸レンズ、負の屈折力を持つ両凹レンズ、で構成されており、全体として正の屈折力を持っている。
【実施例１０】
【００８８】
図６は、本発明の実施例１０の結像光学系のレンズ構成図である。第１レンズ群Ｌ１は、正の屈折力を持つ両凸レンズ、正の屈折力を持つ物体側に凸を向けたレンズ、及び負の屈折力を持つ両凹レンズからなる第１１レンズ群Ｌ１１と、負の屈折力を持つ物体側に凸を向けたレンズと正の屈折力を持つ物体側に凸を向けたレンズとから成る接合レンズである第１２レンズ群Ｌ１２とで構成されており、全体として正の屈折力を持っている。
【００８９】
第２レンズ群Ｌ２は、負の屈折力を持つ物体側に凸を向けたレンズと正の屈折力を持つ物体側に凸を向けたレンズとから成る接合レンズ、で構成されており、全体として負の屈折力を持っている。この第２レンズ群Ｌ２は、無限遠から近距離へのフォーカシングに際して光軸に沿って像面側に移動する。
【００９０】
第３１レンズ群Ｌ３１は、正の屈折力を持つ両凸レンズで構成されており、全体として正の屈折力を持っている。
【００９１】
第３２レンズ群Ｌ３２は、正の屈折力を持つ両凸レンズ、負の屈折力を持つ両凹レンズ、負の屈折力を持つ両凹レンズ、で構成されており、全体として負の屈折力を持っている。
この第３２レンズ群Ｌ３２は、手振れ補正に際して光軸と垂直な方向に移動する。
【００９２】
第３３レンズ群Ｌ３３は、正の屈折力を持つ両凸レンズ、正の屈折力を持つ両凸レンズ、負の屈折力を持つ両凹レンズ、で構成されており、全体として正の屈折力を持っている。
【実施例１１】
【００９３】
図６は、本発明の実施例１１の結像光学系のレンズ構成図である。第１レンズ群Ｌ１は、正の屈折力を持つ両凸レンズ、正の屈折力を持つ物体側に凸を向けたレンズ、及び負の屈折力を持つ両凹レンズからなる第１１レンズ群Ｌ１１と、負の屈折力を持つ物体側に凸を向けたレンズと正の屈折力を持つ物体側に凸を向けたレンズとから成る接合レンズである第１２レンズ群Ｌ１２とで構成されており、全体として正の屈折力を持っている。
【００９４】
第２レンズ群Ｌ２は、負の屈折力を持つ物体側に凸を向けたレンズと正の屈折力を持つ物体側に凸を向けたレンズとから成る接合レンズ、で構成されており、全体として負の屈折力を持っている。この第２レンズ群Ｌ２は、無限遠から近距離へのフォーカシングに際して光軸に沿って像面側に移動する。
【００９５】
第３１レンズ群Ｌ３１は、正の屈折力を持つ物体側に凸を向けたレンズで構成されており、全体として正の屈折力を持っている。
【００９６】
第３２レンズ群Ｌ３２は、正の屈折力を持つ両凸レンズ、負の屈折力を持つ両凹レンズ、負の屈折力を持つ両凹レンズ、で構成されており、全体として負の屈折力を持っている。
この第３２レンズ群Ｌ３２は、手振れ補正に際して光軸と垂直な方向に移動する。
【００９７】
第３３レンズ群Ｌ３３は、正の屈折力を持つ両凸レンズ、正の屈折力を持つ両凸レンズ、負の屈折力を持つ像面側に凸面を向けたレンズ、で構成されており、全体として正の屈折力を持っている。
【実施例１２】
【００９８】
図６は、本発明の実施例１２の結像光学系のレンズ構成図である。第１レンズ群Ｌ１は、正の屈折力を持つ両凸レンズ、正の屈折力を持つ物体側に凸を向けたレンズ、及び負の屈折力を持つ両凹レンズからなる第１１レンズ群Ｌ１１と、負の屈折力を持つ物体側に凸を向けたレンズと正の屈折力を持つ物体側に凸を向けたレンズとから成る接合レンズである第１２レンズ群Ｌ１２とで構成されており、全体として正の屈折力を持っている。
【００９９】
第２レンズ群Ｌ２は、負の屈折力を持つ物体側に凸を向けたレンズと正の屈折力を持つ物体側に凸を向けたレンズとから成る接合レンズ、で構成されており、全体として負の屈折力を持っている。この第２レンズ群Ｌ２は、無限遠から近距離へのフォーカシングに際して光軸に沿って像面側に移動する。
【０１００】
第３１レンズ群Ｌ３１は、正の屈折力を持つ物体側に凸を向けたレンズで構成されており、全体として正の屈折力を持っている。
【０１０１】
第３２レンズ群Ｌ３２は、正の屈折力を持つ両凸レンズ、負の屈折力を持つ両凹レンズ、負の屈折力を持つ両凹レンズ、で構成されており、全体として負の屈折力を持っている。
この第３２レンズ群Ｌ３２は、手振れ補正に際して光軸と垂直な方向に移動する。
【０１０２】
第３３レンズ群Ｌ３３は、正の屈折力を持つ両凸レンズ、負の屈折力を持つ像面側に凸を向けたレンズ、で構成されており、全体として正の屈折力を持っている。
【０１０３】
続いて、以下に前述した各実施例に係るインナーフォーカス式望遠レンズの諸元値（数値実施例）を示す。
【０１０４】
［面データ］において、面番号は物体側から数えたレンズ面又は開口絞りの番号、ｒは各面の曲率半径、ｄは各面の間隔、ｎｄはｄ線（波長５８７．５６ｎｍ）に対する屈折率、ｖｄはｄ線に対するアッベ数を示している。また、ＢＦはバックフォーカスを表している。なお、面番号に付した（絞り）は、その位置に開口絞りが位置していることを示している。平面又は開口絞りに対する曲率半径には∞（無限大）を記入している。
【０１０５】
［各種データ］には、無限遠時（ＩＮＦ）の焦点距離等の値を示している。
【０１０６】
［可変間隔データ］には、物体距離が無限遠時（ＩＮＦ）と物体距離が１２０００ｍｍ時（ｘ４０）と物体距離が最短撮影時（ＭＯＤ）の可変面間隔の値を示している。
【０１０７】
［レンズ群データ］には、各レンズ群を構成する最も物体側の面番号及び群全体の合成焦点距離を示している。
【０１０８】
［硝材データ］には、面番号に対応するレンズについて、ｇ線（波長４３５．８ｎｍ）、Ｆ線（波長４８６．１ｎｍ）、Ｃ線（波長６５６．３ｎｍ）それぞれに対する屈折率ｎｇ、ｎＦ、ｎＣと、部分分散比θｇＦとを示している。
【０１０９】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【０１１０】
数値実施例1
[面データ]
面番号           r             d             nd            vd
物面              ∞          (d0)
1         114.4337       16.2797       1.43700         95.10
2        -678.6438        1.0000
3         107.4482       11.5975       1.49700         81.61
4         630.6386        4.8253
5       -2500.0000        3.5000       1.77250         49.62
6         305.7522       23.0000
7          84.5185        1.7500       1.80610         40.73
8          46.0812       13.9929       1.49700         81.61
9         239.0624          (d9)
10         595.6767        2.5000       1.56883         56.04
11          64.6046        2.7042       1.76182         26.61
12          79.5386         (d12)
13(絞り)            ∞        2.0000
14         144.2420        3.2500       1.49700         81.61
15        1861.2235        2.0000
16        -536.0371        2.4394       1.84666         23.78
17         -87.0916        1.2500       1.49700         81.61
18          48.0248        5.9427
19        -142.5014        2.2500       1.62041         60.34
20          83.9829        4.5000
21         109.5549        3.6685       1.49700         81.61
22        -170.8715        2.2000
23          73.6761        6.0000       1.77250         49.62
24        -113.5019        2.2592       1.84666         23.78
25         676.7340       76.1433
像面              ∞
[各種データ]
INF
焦点距離        289.90
Fナンバー         2.90
全画角2ω         8.50
像高Y          21.63
レンズ全長      189.94
[可変間隔データ]
INF           x40           MOD
d0               ∞    11753.1317     1735.5051
d9           3.6193        6.3978       24.4526
d12         67.4147       64.6363       46.5815
BF          76.1433       76.1433       76.1433
[レンズ群データ]
群            始面        焦点距離
L1                 1       152.25
L2                10      -179.60
L3                14       643.46
L11                1       172.78
L12                7      1125.86
L31               14       314.41
L32               16       -49.20
L33               21        62.90
[硝材データ]
面番号     ng          nF          nC         θgF
14    1.50451     1.50123     1.49514     0.53880
16    1.89413     1.87209     1.83649     0.61910
17    1.50451     1.50123     1.49514     0.53880
19    1.63310     1.62755     1.61727     0.53930
21    1.50451     1.50123     1.49514     0.53880
23    1.79193     1.78336     1.76780     0.55030
24    1.89413     1.87209     1.83649     0.61910
【０１１１】
数値実施例2
[面データ]
面番号       r          d         nd         vd
物面          ∞       (d0)
1      105.1074    18.5902    1.43700      95.10
2     -725.6748    11.0166
3      107.7337    10.2501    1.49700      81.61
4      404.8907     6.2472
5     -775.0264     8.0000    1.77250      49.62
6      389.8974     9.4198
7       84.6027     1.7500    1.80610      40.73
8       46.1052    14.5143    1.49700      81.61
9      215.7084       (d9)
10     897.4628     2.5000    1.65844      50.86
11      50.9090     3.0000    1.84666      23.78
12      63.5533      (d12)
13(絞り)        ∞     2.0000
14     110.5676     4.1902    1.49700      81.61
15    -224.7599     2.3337
16    1390.7566     2.7500    1.84666      23.78
17     -95.6077     2.5000    1.49700      81.61
18      55.0601     5.5921
19    -181.9576     2.2500    1.80420      46.50
20      65.6048     4.5000
21     111.9859     3.1815    1.65844      50.86
22    -358.1760     4.0000
23      68.6437     7.0130    1.80420      46.50
24     -93.2514     2.9000    1.84666      23.78
25     407.0030    68.0577
像面          ∞
[各種データ]
INF
焦点距離    289.90
Fナンバ       2.90
全画角2ω     8.50
像高Y       21.63
レンズ全長  195.79
[可変間隔データ]
INF        x40        MOD
d0         ∞   11753.1317  1737.5297
d9      27.2891    29.9808    47.4184
d12      40.0000    37.3083    19.8707
BF      68.0577    68.0577    68.0329
[レンズ群データ]
群           始面  焦点距離
L1             1    161.38
L2            10   -113.84
L3            14    253.63
L11            1    180.00
L12            7   1498.47 
L31           14    149.74
L32           16    -45.84
L33           21     59.74
[硝材データ]
面番号     ng          nF          nC         θgF
14    1.50451     1.50123     1.49514     0.53880
16    1.89413     1.87209     1.83649     0.61910
17    1.50451     1.50123     1.49514     0.53880
19    1.82594     1.81630     1.79900     0.55790
21    1.67471     1.66749     1.65454     0.55750
23    1.82594     1.81630     1.79900     0.55790
24    1.89413     1.87209     1.83649     0.61910
【０１１２】
数値実施例3
[面データ]
面番号      r          d         nd         vd
物面          ∞       (d0)
1      111.5611    16.8770    1.43700      95.10
2     -583.9630     1.0000
3      109.2461    11.7388    1.49700      81.61
4      647.8708     5.0827
5    -1327.0205     3.5000    1.77250      49.62
6      311.9153    23.0000
7       83.3946     1.7500    1.80610      40.73
8       45.7174    14.1340    1.49700      81.61
9      243.5198       (d9)
10     621.3837     2.5000    1.56883      56.04
11      63.1676     2.9249    1.76182      26.61
12      77.7817      (d12)
13(絞り)       ∞      2.0000
14     158.6934     3.2500    1.49700      81.61
15   -8698.6666     2.0000
16    -836.7685     2.5491    1.84666      23.78
17     -91.4929     1.2500    1.49700      81.61
18      47.1208     6.0384
19    -132.1812     2.2500    1.62041      60.34
20      85.1315     4.5000
21     111.0800     3.6486    1.49700      81.61
22    -170.5498     2.2000
23      73.7272     6.0000    1.77250      49.62
24    -109.9329     2.2628    1.84666      23.78
25     794.1278    76.0626
像面          ∞
[各種データ]
INF
焦点距離    289.91
Fナンバ       2.90
全画角2ω     8.50
像高Y       21.63
レンズ全長  189.41
[可変間隔データ]
INF        x40        MOD
d0           ∞ 11753.1317  1735.5051
d9       3.5872     6.3125    23.9977
d12      65.3674    62.6421    44.9570
BF      76.0626    76.0627    76.0627
[レンズ群データ]
群         始面     焦点距離
L1             1    151.38
L2            10   -173.93
L3            14    618.51
L11            1    173.82
L12            7    996.37
L31           14    313.62
L32           16    -49.07
L33           21     62.57
[硝材データ]
面番号     ng          nF          nC         θgF
14    1.50451     1.50123     1.49514     0.53880
16    1.89413     1.87209     1.83649     0.61910
17    1.50451     1.50123     1.49514     0.53880
19    1.63310     1.62755     1.61727     0.53930
21    1.50451     1.50123     1.49514     0.53880
23    1.79193     1.78336     1.76780     0.55030
24    1.89413     1.87209     1.83649     0.61910
【０１１３】
数値実施例4
[面データ]
面番号        r          d         nd         vd
物面          ∞       (d0)
1      109.7326    17.0351    1.43700      95.10
2     -565.4174     0.5304
3      113.5237    14.7969    1.43700      95.10
4     -484.5846     1.9501
5     -386.0099     5.0000    1.72916      54.67
6      297.8818    32.9889
7       65.7803     1.7500    1.80610      40.73
8       40.2511    13.6090    1.49700      81.61
9      146.2237       (d9)
10     759.7203     2.5000    1.56883      56.04
11      54.9239     3.0000    1.80518      25.46
12      65.9305      (d12)
13(絞り)        ∞     2.0000
14     153.2226     3.5000    1.49700      81.61
15    -548.7770     2.0000
16    -440.8309     2.6289    1.84666      23.78
17     -84.5647     1.2500    1.49700      81.61
18      47.3914     5.9467
19    -146.5954     2.5000    1.62041      60.34
20      86.6698     4.5000
21     108.8065     4.1243    1.49700      81.61
22    -186.2548     2.2000
23      72.8059     6.5000    1.72916      54.67
24    -126.7315     2.2451    1.84666      23.78
25    1645.2119    75.5183
像面          ∞
[各種データ]
INF
焦点距離    289.96
Fナンバ       2.90
全画角2ω     8.50
像高Y       21.63
レンズ全長  188.02
[可変間隔データ]
INF        x40        MOD
d0           ∞ 11753.1317  1735.5051
d9       4.5101     7.0260    23.2437
d12      50.9527    48.4368    32.2192
BF      75.5183    75.5183    75.5183
[レンズ群データ]
群        始面     焦点距離
L1             1    149.18
L2            10   -141.87
L3            14    458.24
L11            1    180.51
L12            7    688.77
L31           14    241.41
L32           16    -49.09
L33           21     63.96
[硝材データ]
面番号     ng          nF          nC         θgF
14    1.50451     1.50123     1.49514     0.53880
16    1.89413     1.87209     1.83649     0.61910
17    1.50451     1.50123     1.49514     0.53880
19    1.63310     1.62755     1.61727     0.53930
21    1.50451     1.50123     1.49514     0.53880
23    1.74571     1.73844     1.72510     0.54520
24    1.89413     1.87209     1.83649     0.61910
【０１１４】
数値実施例5
[面データ]
面番号       r          d         nd         vd
物面          ∞       (d0)
1      112.2826    16.4272    1.43700      95.10
2     -640.5347     1.2638
3      117.6459    12.4780    1.49700      81.61
4    -2937.1698     4.0454
5     -674.6109     5.0000    1.77250      49.62
6      269.6393    26.9110
7       75.4552     1.7500    1.80610      40.73
8       44.5757    13.6096    1.49700      81.61
9      200.3735       (d9)
10     626.7051     2.5000    1.56883      56.04
11      62.1116     3.0000    1.76182      26.61
12      77.2051      (d12)
13(絞り)        ∞     2.0000
14     149.8613     3.2500    1.49700      81.61
15    3708.4030     2.0000
16    -675.6481     2.5811    1.84666      23.78
17     -87.1878     1.2500    1.49700      81.61
18      46.6361     6.0678
19    -129.7203     2.5000    1.62041      60.34
20      88.2365     4.5000
21     124.4643     3.6576    1.49700      81.61
22    -146.0383     2.2000
23      69.5689     6.0000    1.72916      54.67
24    -122.7708     2.1725    1.84666      23.78
25    1052.7754    76.1098
像面          ∞
[各種データ]
INF
焦点距離    289.96
Fナンバ       2.90
全画角2ω     8.50
像高Y       21.63
レンズ全長  190.42
[可変間隔データ]
INF        x40        MOD
d0           ∞ 11753.1317  1735.5051
d9       3.9283     6.7316    24.9531
d12      61.3318    58.5284    40.3070
BF      76.1098    76.1098    76.1098
[レンズ群データ]
群      始面     焦点距離
L1             1    152.91
L2            10   -173.14
L3            14    600.50
L11            1    185.67
L12            7    688.69
L31           14    314.14
L32           16    -49.02
L33           21     62.58
[硝材データ]
面番号     ng          nF          nC         θgF
14    1.50451     1.50123     1.49514     0.53880
16    1.89413     1.87209     1.83649     0.61910
17    1.50451     1.50123     1.49514     0.53880
19    1.63310     1.62755     1.61727     0.53930
21    1.50451     1.50123     1.49514     0.53880
23    1.74571     1.73844     1.72510     0.54520
24    1.89413     1.87209     1.83649     0.61910
【０１１５】
数値実施例6
[面データ]
面番号        r          d         nd         vd
物面          ∞       (d0)
1      110.8945    19.4881    1.43700      95.10
2     -518.9511     0.5000
3      114.1492    16.6454    1.43700      95.10
4     -453.9763     2.2108
5     -341.4076     5.2210    1.65844      50.86
6      288.2184    23.7500
7       66.7128     1.5000    1.80610      40.73
8       41.1680    14.7625    1.49700      81.61
9      155.4860       (d9)
10    3392.9376     2.5000    1.56883      56.04
11      51.7357     3.5190    1.84666      23.78
12      62.1815      (d12)
13(絞り)        ∞     3.3947
14     331.7156     3.5000    1.59282      68.63
15    -188.7475     2.0000
16     722.7312     2.7103    1.84666      23.78
17    -112.2519     1.2500    1.49700      81.61
18      43.1063     6.2224
19    -124.9821     2.5000    1.63854      55.45
20      83.2451     4.5000
21     100.6661     4.0948    1.49700      81.61
22    -186.8990     2.2000
23      65.3034     7.0669    1.65844      50.86
24     -89.9138     2.2693    1.84666      23.78
25   -4338.5067    73.3840
像面          ∞
[各種データ]
INF
焦点距離    289.93
Fナンバ       2.88
全画角2ω      8.50
像高Y       21.63
レンズ全長  192.16
[可変間隔データ]
INF        x40        MOD
d0           ∞ 11753.1317  1735.5051
d9       4.8202     6.9638    20.5997
d12      55.5322    53.3887    39.7527
BF      73.3840    73.3840    73.4090
[レンズ群データ]
群         始面     焦点距離
L1             1    141.65
L2            10   -126.07
L3            14    407.99
L11            1    174.29
L12            7    612.60
L31           14    203.43
L32           16    -48.50
L33           21     63.96
[硝材データ]
面番号     ng          nF          nC         θgF
14    1.60354     1.59884     1.59021     0.54410
16    1.89413     1.87209     1.83649     0.61910
17    1.50451     1.50123     1.49514     0.53880
19    1.65287     1.64657     1.63505     0.54730
21    1.50451     1.50123     1.49514     0.53880
23    1.67471     1.66749     1.65454     0.55750
24    1.89413     1.87209     1.83649     0.61910
【０１１６】
数値実施例7
[面データ]
面番号      r          d         nd         vd
物面          ∞       (d0)
1      112.9316    20.3287    1.43700      95.10
2     -583.8913     0.5000
3      116.7284    17.9693    1.43700      95.10
4     -379.0426     1.9850
5     -313.8879     6.5000    1.65844      50.86
6      324.8099    22.6371
7       66.7817     2.3500    1.80610      40.73
8       41.0376    12.6211    1.49700      81.61
9      155.7972       (d9)
10    1463.2129     2.5000    1.56883      56.04
11      55.2997     2.9919    1.84666      23.78
12      66.2221      (d12)
13(絞り)        ∞     2.0000
14     290.4516     3.6416    1.43700      95.10
15    -189.6712     2.0000
16    1350.3432     2.8227    1.84666      23.78
17    -102.8796     1.5000    1.49700      81.61
18      41.9731     6.7077
19    -113.1764     2.5000    1.63854      55.45
20      91.6385     4.5000
21     107.6946     4.2044    1.49700      81.61
22    -152.7638     2.0000
23      66.2112     5.5657    1.65844      50.86
24     -92.7878     2.3024    1.84666      23.78
25   -1161.4453    73.4006
像面          ∞
[各種データ]
INF
焦点距離    289.96
Fナンバ       2.88
全画角2ω      8.50
像高Y       21.63
レンズ全長  191.26
[可変間隔データ]
INF        x40        MOD
d0           ∞ 11753.1317  2237.9929
d9       4.1260     6.3592    16.6174
d12      57.0084    54.7752    44.5170
BF      73.4006    73.4006    73.4006
[レンズ群データ]
群        始面     焦点距離
L1             1    141.51
L2            10   -137.83
L3            14    495.67
L11            1    174.25 
L12            7    608.98
L31           14    263.18
L32           16    -47.38
L33           21     61.40
[硝材データ]
面番号     ng          nF          nC         θgF
14    1.44264     1.44019     1.43559     0.53340
16    1.89413     1.87209     1.83649     0.61910
17    1.50451     1.50123     1.49514     0.53880
19    1.65287     1.64657     1.63505     0.54730
21    1.50451     1.50123     1.49514     0.53880
23    1.67471     1.66749     1.65454     0.55750
24    1.89413     1.87209     1.83649     0.61910
【０１１７】
数値実施例8
[面データ]
面番号       r          d         nd         vd
物面          ∞       (d0)
1      102.2281    18.4476    1.43700      95.10
2     -752.9426    15.5000
3      110.4760    10.7213    1.49700      81.61
4      960.5218     5.1437
5     -554.0875     3.5000    1.74330      49.22
6      232.7917    20.0000
7       73.8252     1.7500    1.80610      40.73
8       43.4479    13.0055    1.49700      81.61
9      240.8468     5.5000
10     485.2153     2.5000    1.56883      56.04
11      62.3848     2.6160    1.78472      25.72
12      74.4945    59.0403
13(絞り)       ∞      2.0000
14     149.6242     3.2500    1.56384      60.83
15    4010.9862     2.0000
16    -759.3410     2.7500    1.84666      23.78
17     -88.4281     1.2500    1.49700      81.61
18      51.9945     5.2824
19    -188.5417     1.8500    1.71300      53.94
20      74.1985     4.2963
21     111.1985     3.2460    1.65844      50.86
22    -317.2878     3.0000
23      71.5527     6.8539    1.80420      46.50
24     -90.3213     2.9000    1.84666      23.78
25     367.6416    72.9105
像面          ∞
[各種データ]
INF
焦点距離    289.91
Fナンバ       2.90
全画角2ω      8.50
像高Y       21.63
レンズ全長    196.40
[可変間隔データ]
INF        x40        MOD
d0           ∞ 11753.1317  1737.5297
d9       5.5000     8.5329    28.3176
d12      59.0403    56.0073    36.2227
BF      72.9105    72.9105    72.8849
[レンズ群データ]
群         始面     焦点距離
L1             1    159.35
L2            10   -171.93
L3            14    557.68
L11            1    204.13
L12            7    524.16
L31           14    275.57
L32           16    -48.37
L33           21     60.97
[硝材データ]
面番号     ng          nF          nC         θgF
14    1.57529     1.57028     1.56101     0.54070
16    1.89413     1.87209     1.83649     0.61910
17    1.50451     1.50123     1.49514     0.53880
19    1.72939     1.72220     1.70898     0.54410
21    1.67471     1.66749     1.65454     0.55750
23    1.82594     1.81630     1.79900     0.55790
24    1.89413     1.87209     1.83649     0.61910
【０１１８】
数値実施例9
[面データ]
面番号       r          d         nd         vd
物面          ∞       (d0)
1      100.9142    19.2500    1.43700      95.10
2    -1131.1048    24.0000
3       89.8451    10.7855    1.49700      81.61
4      321.3374     4.8469
5     -811.0565     5.0000    1.77250      49.62
6      276.9467     9.9579
7       83.8456     2.5000    1.80610      40.73
8       43.7363    14.0674    1.49700      81.61
9      251.2537       (d9)
10     787.4073     2.5000    1.56732      42.84
11      41.6287     4.7593    1.75211      25.05
12      56.5037      (d12)
13(絞り)       ∞      2.0000
14      98.9701     4.0648    1.49700      81.61
15    -789.4290     2.0000
16     408.5081     3.3009    1.84666      23.78
17     -87.4438     1.5000    1.58913      61.25
18      59.3566     4.0609
19    -202.3974     1.5000    1.72916      54.67
20      68.8430     3.1416
21     131.0205     2.7594    1.71300      53.94
22    -353.0185     0.1000
23      63.0038     5.1750    1.80420      46.50
24     -97.5414     1.5000    1.84666      23.78
25     212.3831    80.4769
像面          ∞
[各種データ]
INF
焦点距離    289.91
Fナンバ       2.90
全画角2ω      8.50
像高Y       21.63
レンズ全長   191.65
[可変間隔データ]
INF        x40        MOD
d0           ∞ 11753.1317  1737.5297
d9       9.7245    12.4674    30.1960
d12      53.1607    50.4177    32.6891
BF      80.4769    80.4769    80.4769
[レンズ群データ]
群         始面     焦点距離
L1             1    163.83
L2            10   -125.71
L3            14    290.12
L11            1    183.32
L12            7   1354.95
L31           14    177.22
L32           16    -51.91
L33           21     62.40
[硝材データ]
面番号       ng         nF         nC       θｇＦ
14       1.5045     1.5012     1.4951     0.5388
16       1.8941     1.8721     1.8365     0.6191
17       1.6010     1.5958     1.5862     0.5403
19       1.7457     1.7384     1.7251     0.5452
21       1.7294     1.7222     1.7090     0.5441
23       1.8259     1.8163     1.7990     0.5579
24       1.8941     1.8721     1.8365     0.6191
【０１１９】
数値実施例10
[面データ]
面番号       r          d         nd         vd
物面          ∞       (d0)
1       98.2513    18.6060    1.43700      95.10
2    -1551.9516    30.0000
3       99.2219    10.3260    1.49700      81.61
4      558.8124     4.2566
5     -484.9301     5.0000    1.80420      46.50
6      304.8517     3.0000
7       81.3361     2.5000    1.80610      40.73
8       44.9941    14.5239    1.49700      81.61
9      267.7429       (d9)
10     635.8303     2.5000    1.51742      52.15
11      57.7366     3.2760    1.75211      25.05
12      69.6604      (d12)
13(絞り)       ∞     10.2003
14     159.8814     3.3169    1.65844      50.86
15    -926.4624     2.0000
16     253.7652     3.3009    1.84666      23.78
17     -83.8408     1.5000    1.58913      61.25
18      54.7808     2.9929
19    -158.2557     1.5000    1.72916      54.67
20      58.3928     5.1339
21      92.7035     3.0870    1.62041      60.34
22    -388.6143     5.2500
23      65.9173     5.8295    1.72916      54.67
24     -79.8693     2.0541    1.80518      25.46
25     361.3757    68.8350
像面          ∞
[各種データ]
INF
焦点距離    289.97
Fナンバ       2.90
全画角2ω      8.50
像高Y       21.63
レンズ全長   197.62
[可変間隔データ]
INF        x40        MOD
d0           ∞ 11753.1317  1737.5297
d9       9.5876    12.7894    33.8576
d12      47.8814    44.6797    23.6115
BF      68.8350    68.8350    68.8350
[レンズ群データ]
群         始面     焦点距離
L1             1    162.60
L2            10   -172.09
L3            14    584.71
L11            1    196.79
L12            7    734.87
L31           14    207.34
L32           16    -46.65
L33           21     62.68
[硝材データ]
面番号     ng          nF          nC         θgF
14    1.67471     1.66749     1.65454     0.55750
16    1.89413     1.87209     1.83649     0.61910
17    1.60100     1.59581     1.58619     0.54030
19    1.74571     1.73844     1.72510     0.54520
21    1.63310     1.62755     1.61727     0.53930
23    1.74571     1.73844     1.72510     0.54520
24    1.84721     1.82774     1.79611     0.61560
【０１２０】
数値実施例11
[面データ]
面番号       r          d         nd         vd
物面          ∞       (d0)
1      118.9265    18.7111    1.43700      95.10
2     -539.3913     0.5000
3      110.1534    16.1053    1.43700      95.10
4     -861.8256     2.2840
5     -519.3613     6.0000    1.80420      46.50
6      462.6370    31.7557
7       63.5687     2.3500    1.83400      37.34
8       40.0731    12.4253    1.49700      81.61
9      150.9584       (d9)
10     401.3307     2.5000    1.80610      40.73
11      46.8418     5.0128    1.75211      25.05
12      85.5207      (d12)
13(絞り)        ∞    10.7971
14     171.4679     3.5015    1.72916      54.67
15     377.2390     2.0000
16     326.0953     2.8271    1.84666      23.78
17    -102.6585     1.5000    1.49700      81.61
18      41.6145     3.6900
19     -89.6894     1.5000    1.77250      49.62
20     114.0774     8.7024
21     166.3323     3.7399    1.49700      81.61
22    -111.1920    10.2500
23      87.8574     6.0323    1.71300      53.94
24     -67.5100     2.2851    1.80518      25.46
25    -254.5225    72.3600
像面          ∞
[各種データ]
INF
焦点距離    289.99
Fナンバ       2.91
全画角2ω      8.50
像高Y       21.63
レンズ全長   190.38
[可変間隔データ]
INF        x40        MOD
d0           ∞ 11753.1317  1737.5297
d9       5.6929     7.8849    21.8875
d12      30.2186    28.0266    14.0240
BF      72.3600    72.3602    72.3601
[レンズ群データ]
群        始面     焦点距離
L1             1    137.32
L2            10   -126.75
L3            14    329.10
L11            1    168.42
L12            7    572.42
L31           14    428.04
L32           16    -46.55
L33           21     61.12
[硝材データ]
面番号     ng          nF          nC         θgF
14    1.74571     1.73844     1.72510     0.54520
16    1.89413     1.87209     1.83649     0.61910
17    1.50451     1.50123     1.49514     0.53880
19    1.79193     1.78336     1.76780     0.55030
21    1.50451     1.50123     1.49514     0.53880
23    1.72939     1.72220     1.70898     0.54410
24    1.84721     1.82774     1.79611     0.61560
【０１２１】
数値実施例12
[面データ]
面番号      r          d         nd         vd
物面          ∞       (d0)
1      108.6022    19.2500    1.43700      95.10
2    -1104.1233     0.5000
3      128.2080    16.1600    1.43700      95.10
4     -429.3762     1.7939
5     -374.1061     9.6600    1.72916      54.67
6      354.7052    15.9812
7       73.3992     2.3500    1.80610      40.73
8       44.2498    15.6618    1.49700      81.61
9      181.9009    24.6125
10    1049.6300     2.5000    1.51680      64.20
11      52.0246     2.8150    1.84666      23.78
12      58.4516    28.2906
13(絞り)       ∞      2.0000
14     119.2411     3.4704    1.72916      54.67
15     955.1243     2.0000
16     170.2515     3.7170    1.84666      23.78
17     -84.2893     1.5000    1.77250      49.62
18      53.2924     3.1910
19    -170.7031     1.5000    1.78590      43.93
20     121.1350    16.4716
21      84.9342     6.1058    1.77250      49.62
22     -46.1729     1.2000
23     -43.6945     2.2688    2.00069      25.46
24     -96.4743    79.9059
像面          ∞
[各種データ]
INF
焦点距離    289.98
Fナンバ       2.88
全画角2ω      8.50
像高Y       21.63
レンズ全長   183.00
[可変間隔データ]
INF        x40        MOD
d0           ∞ 11753.1317  2237.9929
d9      24.6125    27.3636    40.2141
d12      28.2906    25.5395    12.6890
BF      79.9059    79.9059    79.9058
[レンズ群データ]
群         始面     焦点距離
L1             1    153.74
L2            10   -133.43
L3            14    356.79
L11            1    192.62
L12            7    657.59
L31           14    186.53
L32           16    -50.68
L33           21     74.07
[硝材データ]
面番号     ng          nF          nC         θgF
14    1.74571     1.73844     1.72510     0.54520
16    1.89413     1.87209     1.83649     0.61910
17    1.79193     1.78336     1.76780     0.55030
19    1.80846     1.79842     1.78053     0.56110
21    1.79193     1.78336     1.76780     0.55030
23    2.05283     2.02872     1.98941     0.61350
【０１２２】
また、以下にこれらの各実施例における条件式の対応値の一覧を示す。
【０１２３】
[条件式対応値]
1       2       3       4
(1)   0.45＜f1／f＜0.60                      0.53    0.56    0.52    0.51
(2)   0.35＜｜f2｜／f＜0.65                  0.62    0.39    0.60    0.49
(3)   0.60＜f3／f＜3.00                      2.22    0.87    2.13    1.58
(4)   0.50＜f31／ｆ＜1.50                    1.08    0.52    1.08    0.83
(5)   0.15＜｜f32｜／f＜0.20                 0.17    0.16    0.17    0.17
(6)   0.15＜f33／f＜0.30                     0.22    0.21    0.22    0.22
(7)   −0.90＜SF1＜−0.64                   -0.71   -0.75   -0.68   -0.67
(8)   −1.8＜SF2＜−0.53                    -1.41   -1.73   -1.41   -0.62
(9)   −0.10＜SF3＜0.80                      0.78    0.33    0.62    0.13
(10)    3.10＜SF4＜4.50                      3.40    3.40    3.43    4.15
(11)  −1.80＜SF5＜−1.35                   -1.48   -1.54   -1.46   -1.76
5       6       7       8
(1)   0.45＜f1／f＜0.60                      0.53    0.49    0.49    0.55
(2)   0.35＜｜f2｜／f＜0.65                  0.60    0.43    0.48    0.59
(3)   0.60＜f3／f＜3.00                      2.07    1.41    1.71    1.92
(4)   0.50＜f31／ｆ＜1.50                    1.08    0.70    0.91    0.95
(5)   0.15＜｜f32｜／f＜0.20                 0.17    0.17    0.16    0.17
(6)   0.15＜f33／f＜0.30                     0.22    0.22    0.21    0.21
(7)   −0.90＜SF1＜−0.64                   -0.70   -0.65   -0.68   -0.76
(8)   −1.8＜SF2＜−0.53                    -0.92   -0.60   -0.53   -1.26
(9)   −0.10＜SF3＜0.80                      0.43    0.08   -0.02    0.41
(10)    3.10＜SF4＜4.50                      3.89    4.22    4.19    3.86
(11)  −1.80＜SF5＜−1.35                   -1.57   -1.72   -1.72   -1.44
9       10      11      12
(1)   0.45＜f1／f＜0.60                      0.57    0.56    0.47    0.53
(2)   0.35＜｜f2｜／f＜0.65                  0.43    0.59    0.44    0.46
(3)   0.60＜f3／f＜3.00                      1.00    2.02    1.13    1.23
(4)   0.50＜f31／ｆ＜1.50                    0.61    0.72    1.48    0.64
(5)   0.15＜｜f32｜／f＜0.20                 0.18    0.16    0.16    0.17
(6)   0.15＜f33／f＜0.30                     0.22    0.22    0.21    0.26
(7)   −0.90＜SF1＜−0.64                   -0.84   -0.88   -0.64   -0.82
(8)   −1.8＜SF2＜−0.53                    -1.78   -1.43   -0.77   -0.54
(9)   −0.10＜SF3＜0.80                      0.49    0.23    0.06    0.03
(10)    3.10＜SF4＜4.50                      3.18    3.48    4.41    4.04
(11)  −1.80＜SF5＜−1.35                   -1.42   -1.40   -1.72   -1.64
【符号の説明】
【０１２４】
Ｌ１    第１レンズ群
Ｌ１１  第１１レンズ群
Ｌ１２  第１２レンズ群
Ｌ２    第２レンズ群
Ｌ３    第３レンズ群
Ｌ３１  第３１レンズ群
Ｌ３２  第３２レンズ群
Ｌ３３  第３３レンズ群
Ｓ      開口絞り
Ｉ      像面
【図１】
2014038255.tif 000003
【図２】
2014038255.tif 000004
【図３】
2014038255.tif 000005
【図４】
2014038255.tif 000006
【図５】
2014038255.tif 000007
【図６】
2014038255.tif 000008
【図７】
2014038255.tif 000009
【図８】
2014038255.tif 000010
【図９】
2014038255.tif 000011
【図１０】
2014038255.tif 000012
【図１１】
2014038255.tif 000013
【図１２】
2014038255.tif 000014
【図１３】
2014038255.tif 000015
【図１４】
2014038255.tif 000016
【図１５】
2014038255.tif 000017
【図１６】
2014038255.tif 000018
【図１７】
2014038255.tif 000019
【図１８】
2014038255.tif 000020
【図１９】
2014038255.tif 000021
【図２０】
2014038255.tif 000022
【図２１】
2014038255.tif 000023
【図２２】
2014038255.tif 000024
【図２３】
2014038255.tif 000025
【図２４】
2014038255.tif 000026
【図２５】
2014038255.tif 000027
【図２６】
2014038255.tif 000028
【図２７】
2014038255.tif 000029
【図２８】
2014038255.tif 000030
【図２９】
2014038255.tif 000031
【図３０】
2014038255.tif 000032
【図３１】
2014038255.tif 000033
【図３２】
2014038255.tif 000034
【図３３】
2014038255.tif 000035
【図３４】
2014038255.tif 000036
【図３５】
2014038255.tif 000037
【図３６】
2014038255.tif 000038
【図３７】
2014038255.tif 000039
【図３８】
2014038255.tif 000040
【図３９】
2014038255.tif 000041
【図４０】
2014038255.tif 000042
【図４１】
2014038255.tif 000043
【図４２】
2014038255.tif 000044
【図４３】
2014038255.tif 000045
【図４４】
2014038255.tif 000046
【図４５】
2014038255.tif 000047
【図４６】
2014038255.tif 000048
【図４７】
2014038255.tif 000049
【図４８】
2014038255.tif 000050
【図４９】
2014038255.tif 000051
【図５０】
2014038255.tif 000052
【図５１】
2014038255.tif 000053
【図５２】
2014038255.tif 000054
【図５３】
2014038255.tif 000055
【図５４】
2014038255.tif 000056
【図５５】
2014038255.tif 000057
【図５６】
2014038255.tif 000058
【図５７】
2014038255.tif 000059
【図５８】
2014038255.tif 000060
【図５９】
2014038255.tif 000061
【図６０】
2014038255.tif 000062
【図６１】
2014038255.tif 000063
【図６２】
2014038255.tif 000064
【図６３】
2014038255.tif 000065
【図６４】
2014038255.tif 000066
【図６５】
2014038255.tif 000067
【図６６】
2014038255.tif 000068
【図６７】
2014038255.tif 000069
【図６８】
2014038255.tif 000070
【図６９】
2014038255.tif 000071
【図７０】
2014038255.tif 000072
【図７１】
2014038255.tif 000073
【図７２】
2014038255.tif 000074
【図７３】
2014038255.tif 000075
【図７４】
2014038255.tif 000076
【図７５】
2014038255.tif 000077
【図７６】
2014038255.tif 000078
【図７７】
2014038255.tif 000079
【図７８】
2014038255.tif 000080
【図７９】
2014038255.tif 000081
【図８０】
2014038255.tif 000082
【図８１】
2014038255.tif 000083
【図８２】
2014038255.tif 000084
【図８３】
2014038255.tif 000085
【図８４】
2014038255.tif 000086